(57)【要約】      （修正有）【課題】油、飛沫感染などから顔を保護するためのフェースシールドを提供する。【解決手段】フェースシールド１は、顔または頭部の少なくとも一部によって支持されるメガネタイプフレーム５と、顔面の少なくとも半分以上を被覆する透明もしくは半透明のシールド３とを有し、メガネタイプフレーム５は、顔の前方に位置し左右方向に延びる第１フレーム部５１と、第１フレーム部５１の略中央部に設けられ下方へ延びる第２フレーム部５５と、第１フレーム部５１の両端部から後方へ延びる第３フレーム部５３とを有し、シールド３とメガネタイプフレーム５とが、第１フレーム部５１の両端部または第１フレーム部５１の両端部から後方へ延びる第３フレーム部５３において着脱可能に取り付けられている。【選択図】図１
0003227701.tif 000002
【実用新案登録請求の範囲】
【請求項１】
人の顔に取り付けて使用するフェースシールドであって、
メガネタイプフレームと、
顔面の少なくとも半分以上を被覆する透明もしくは半透明のシールドとを有し、
前記メガネタイプフレームは、顔の前方に位置し左右方向に延びる第１フレーム部と、前記第１フレーム部の略中央部に設けられ下方へ延びる第２フレーム部と、前記第１フレームの両端部から後方へ延びる第３フレーム部とを有し、
前記シールドは、前記メガネタイプフレームの前記第１フレーム部の両端部または前記第１フレーム部の両端部から後方へ延びる第３フレーム部において着脱可能に取り付けられていることを特徴とするフェースシールド。
【請求項２】
前記シールドの左右の端部は、頭部の側面の一部を覆うように後方にむかって湾曲している請求項１に記載のフェースシールド。
【請求項３】
前記第１フレーム部の両端部、または、前記第１フレーム部の両端部から後方へ延びる第３フレーム部には、シールドを取り付けるための外側に突出する突起部が設けられており、シールドの左右の端部には、前記突起部が係合する貫通孔が設けられており、突起部が貫通孔に係合することにより、シールドが、メガネタイプフレームに取り付けられている請求項１または２に記載のフェースシールド。
【請求項４】
前記突起部は、軸部と前記軸部の先端に設けられた頭部とを有し、
前記貫通孔は、前記頭部が挿入離脱可能な大径貫通孔と前記頭部が挿入離脱不可能な小径貫通孔とが連接して形成された貫通孔であり、
前記突起部の頭部を大径貫通孔に挿入させたのちに、前記頭部を小径貫通孔に移動させることにより、シールドがメガネタイプフレームに取り付けられている請求項３に記載の
【請求項５】
前記メガネタイプフレームの第１フレーム部は、略中央部が前方へ突出し、両端部が後方に向かって湾曲する円弧状の形状を有し、下方へ延びる第２フレーム部の長さは、３．５ｃｍ〜６ｃｍである請求項１〜４のいずれか一項に記載のフェースシールド。
【考案の詳細な説明】
【技術分野】
【０００１】
本考案は、フェースシールドに関するものである。
【背景技術】
【０００２】
一般家庭において、料理をするときに油がはねて、顔にかかる場合がある。高温の油が顔にかかると火傷になる。また、高温の油が目にはいると失明するおそれがある。医療現場では、患者からの飛沫感染を防止するために、顔面全体を保護する必要がある。
【０００３】
例えば、特許文献１には、透明なバイザーまたはフェースシールドを含むフェースマスクであって、該透明なバイザーまたはフェースシールドの少なくとも一つの表面上に、1種またはそれ以上のセルロースエーテルを含む被覆が存在し、該1種またはそれ以上のセルロースエーテルは、該被覆の少なくとも９０重量％を占め、該被覆が、５０〜２５０ｎｍなる範囲の厚みを持つことを特徴とする、上記フェースマスクが開示されている。
【先行技術文献】
【特許文献】
【０００４】
【特許文献１】特許第４９９１３０９号公報
【考案の概要】
【考案が解決しようとする課題】
【０００５】
本考案は、油、飛沫感染などから顔を保護するためのフェースシールドを提供することを目的とする。
【課題を解決するための手段】
【０００６】
本考案のフェースシールドは、人の顔に取り付けて使用するフェースシールドであって、
メガネタイプフレームと、                                 
顔面の少なくとも半分以上を被覆する透明もしくは半透明のシールドとを有し、
前記メガネタイプフレームは、顔の前方に位置し左右方向に延びる第１フレーム部と、前記第１フレーム部の略中央部に設けられ、下方へ延びる第２フレーム部と、前記第１フレームの両端部から後方へ延びる第３フレーム部とを有し、
前記シールドは、前記メガネタイプフレームの第１フレームの両端部または第１フレームの両端部から後方へ延びる第３フレーム部において着脱可能に取り付けられていることを特徴とする。
【考案の効果】
【０００７】
本考案によれば、油、飛沫感染などから顔を保護するためのフェースシールドを提供することができる。
【図面の簡単な説明】
【０００８】
【図１】本考案のフェースシールドの好ましい態様を前方から見た斜視図。
【図２】メガネタイプフレームの好ましい態様を説明する説明図。
【図３】メガネタイプフレームの好ましい態様を説明する説明図。
【図４】メガネタイプフレームの好ましい態様を説明する説明図。
【図５】メガネタイプフレームの好ましい態様を説明する説明図。
【図６】メガネタイプフレームに設けられる突起部の拡大図。
【図７】シールドを平面状に伸ばした状態の正面図。
【図８】シールドに設けられる貫通孔の説明図。
【考案を実施するための形態】
【０００９】
本考案のフェースシールドは、人の顔に取り付けて使用するフェースシールドであって、メガネタイプフレームと、顔面の少なくとも半分以上を被覆する透明もしくは半透明のシールドとを有し、前記メガネタイプフレームは、顔の前方に位置し左右方向に延びる第１フレーム部と、前記第１フレーム部の略中央部に設けられ下方へ延びる第２フレーム部と、前記第１フレームの両端部から後方へ延びる第３フレーム部とを有し、前記シールドは、前記メガネタイプフレームの第１フレーム部の両端部または前記第１フレーム部の両端部から後方へ延びる第３フレーム部において着脱可能に取り付けられていることを特徴とする。
【００１０】
本考案のフェースシールドにおいて、顔に取り付けたときに、右耳側を右側とし、左耳側を左側とする。また、左右の横方向において、鼻側を中央側とし、目尻側を端部側とする。顔面側を前方とし後頭部側を後方とする。また、口を下側とし、額を上側とする。
【００１１】
（メガネタイプフレーム）
本考案のフェースシールドは、顔または頭部の少なくとも一部によって支持されるメガネタイプフレームを有する。前記メガネタイプフレームは、顔の前方に位置し左右方向に延びる第１フレーム部と、前記第１フレーム部の略中央部に設けられ下方へ延びる第２フレーム部と、前記第１フレームの両端部から後方へ延びる第３フレーム部とを有する。
【００１２】
前記メガネタイプフレームは、例えば、上側リムのみを有するハーフリムのメガネフレームに類似する形状を有している。前記メガネタイプフレームは、通常のメガネのようにかけて使用できるものである。
【００１３】
前記第１フレーム部は、平面視形状において、略中央部が前方へ突出し、左右の両端部が後方に向かって湾曲する円弧状であることが好ましい。このような構成とすることで、顔面と第１フレーム部との間にスペースが生じ、一般のメガネを付けたままでも本考案のフェースシールドを顔に取り付けることができる。
【００１４】
前記第１フレーム部から第３フレーム部を形成する材料は、特に限定されないが、ポリカーボネート、アセテート樹脂やポリアミドであることが好ましい。
【００１５】
前記メガネタイプフレームは、前記第１フレーム部の略中央部に設けられ下方へ延びる第２フレーム部を有する。前記第２フレーム部は、第１フレーム部の略中央部から下方へ延び、鼻に当接する。すなわち、フェースシールドのメガネタイプフレームは、第２フレーム部を介して、鼻によって支持されている。前記第１フレーム部と第２フレーム部とは一体的に成型されていることが好ましい。
【００１６】
第２フレーム部が略中央部からやや後方に向かって下方へ延びる、および／または、第２フレーム部の下方先端部が、やや後方へ向かって屈曲することが好ましい。第１フレーム部の略中央部が前方へ突出する場合には、第１フレーム部の略中央部と鼻との前後方向の距離が大きくなるからである。
【００１７】
前記第２フレーム部の本数は、特に限定されないが、１本〜２本が好ましい。２本の場合は、右側の第２フレーム部が鼻の右面に当接し、左側の第２フレーム部が鼻の左面に当接する。１本の場合は、第１フレーム部の略中央部から１本の第２フレーム部が下方へ延び、下方の先端部において二股に分岐する。二股に分岐した分岐部が鼻の右面および左面に当接する。
【００１８】
前記メガネタイプフレームの第２フレーム部の長さは、３．５ｃｍ〜６ｃｍであることが好ましい。前記第２フレーム部の長さを、３．５ｃｍ以上にしておくことにより、一般のメガネフレームをかけたままで、本発明のフェースシールドを直接顔に取り付けることができる。
【００１９】
メガネタイプフレームは、第１フレーム部の両端部から後方へ延びる左右の第３フレーム部を有する。左右の第３フレーム部は、側頭部を挟持することによって支持されてもよいし、耳によって支持されてもよい。例えば、左右の第３フレームが、耳の前方（こめかみ近辺）、耳の周囲の一部を挟持することも好ましい。すなわち、メガネタイプフレームは、第３フレーム部を介して側頭部、耳周辺、あるいは、耳によって支持されている。
【００２０】
前記第３フレーム部は、後方先端側にチップ部を有する。前記チップ部は、耳に掛かりやすい形状に下方に屈曲してもよいし、あるいは、側頭部を挟持しやすくするために内側に湾曲してもよい。なお、チップ部は、モダンと称される場合もある。
【００２１】
第３フレーム部は、例えば、蝶番により第１フレーム部の左右の両端部にそれぞれ接続され、内側に折りたたむことができるように構成されていることが好ましい。本発明の別の好ましい態様では、第１フレーム部と第３フレーム部とを一体的に成型してもよい。この場合、第３フレーム部は内側に折りたたむことができない。
【００２２】
前記第１フレーム部の両端部、または、前記第１フレーム部の両端部から後方へ延びる第３フレーム部には、前記シールドを取り付けるための外側に突出する突起部が設けられていることが好ましい。前記突起部は、第１フレーム部の両端部から後方へ延びる第３フレーム部に設けられていることが好ましい。
【００２３】
前記突起部は、前記第１フレームの両端部、または、第３フレーム部から外側に突出する突起部である。前記突起部は、軸部と前記軸部の先端に設けられた頭部とを有することが好ましい。前記頭部の径は、軸部の径よりも大きく、頭部は、軸部の外側に突出する。軸部は、例えば、円柱状であることが好ましい。頭部の形状としては、多角形の盤状、または、円盤状を挙げることができる。前記突起部は、例えば、ビスの形状を有していることが好ましい。なお、ビスの形状をしている突起部にネジ溝は形成されていなくてもよい。
【００２４】
１本の第３フレーム部に設ける突起部の数は、特に限定されないが、１〜４個が好ましく、１〜２個がより好ましく、２個が好ましい。
【００２５】
（シールド）
本考案のフェースシールドは、顔面の少なくとも半分以上を被覆する透明もしくは半透明のシールドを有する。
【００２６】
前記シールドは、顔面の少なくとも半分以上を被覆することが好ましく、顔面全体を被覆することがより好ましい。前記シールドは、平面状に伸ばした場合、略矩形であることが好ましい。
【００２７】
前記シールドは、透明または半透明であることが好ましい。視界を確保するためである。前記シールドを形成する材料としては、例えば、ポリエチレンテレフタレート、ポリ塩化ビニル、ポリカーボネートなどを挙げることができる。
【００２８】
前記シールドは、中央部が前方へ突出し、左右の端部が後方に向かう湾曲した状態でメガネタイプフレームに取り付けられていることが好ましい。前記湾曲されたシールドの左右の端部が、頭部の側面の一部を覆うことができるからである。
【００２９】
前記シールドの左右の端部には、メガネタイプフレームの突起部が係合する貫通孔が設けられていることが好ましい。前記貫通孔は、メガネタイプフレームに設けられた突起部の頭部が挿入離脱可能な大径貫通孔と前記頭部が挿入離脱不可能な小径貫通孔とが連接して形成された貫通孔であることが好ましい。前記貫通孔が、大径貫通孔と小径貫通孔とを連接する経路を有していることも好ましい。
【００３０】
前記シールドは、前記メガネタイプフレームの第１フレーム部の両端部または第１フレーム部の両端部から後方へ延びる第３フレーム部において着脱可能に取り付けられていることが好ましい。
【００３１】
メガネタイプフレームに設けられた突起部の頭部を、シールドの両端部に設けられた貫通孔の大径貫通孔に挿入した後に、前記頭部を小径貫通孔に移動させることにより、シールドがメガネタイプフレームに取り付けられる。前記頭部は、小径貫通孔に挿入離脱が不可能であることから、頭部は小径貫通孔に係合する。また、前記頭部を大径貫通孔に移動することにより、シールドをメガネタイプフレームから取り外すことができる。
【００３２】
以下、図面を参照しながら、本考案を説明するが、本考案は図面に示した態様に限定されない。
【００３３】
図１は、本考案のフェースシールドの一例を前方から見た斜視図である。図中、矢印Ａが、前後方向であり、矢印Ｂが左右方向であり、矢印Ｃが上下方向である。
【００３４】
本考案のフェースシールド１は、メガネタイプフレーム５と、顔面の全体を被覆する透明のシールド３とを有している。前記シールド３は、メガネタイプフレーム５の第３フレーム部５３において着脱可能に取り付けられている。前記シールド３の左右の端部は、頭部の側面の一部を覆うように後方にむかって湾曲している。
【００３５】
図２は、メガネタイプフレームの一例の斜視図であり、図３は、メガネタイプフレームの一例の正面図であり、図４は、メガネタイプフレームの一例の平面図である。図５は、メガネタイプフレームの一例の左側面図である。
【００３６】
前記メガネタイプフレーム５は、顔の前方に位置し左右方向に延びる第１フレーム部５１と、前記第１フレーム部５１の略中央部５２に設けられ下方へ延びる２本の第２フレーム部５５と、前記第１フレーム部５１の両端部５４から後方へ延びる２本の第３フレーム部５３とを有している。
【００３７】
前記第１フレーム５１は、平面視形状において、略中央部５２が前方へ突出し、両端部５４が後方に向かって湾曲する円弧状の形状を有していることが好ましい（図４）。このような構成にすることで、顔面と第１フレームとの間にスペースが生じ、一般のメガネを付けたままでも本考案のフェースシールドを顔に取り付けることができる。
【００３８】
前記第１フレーム部５１の略中央部５２には、下方へ延びる２本の第２フレーム部５５が設けられている。第２フレーム部５５の下方先端部は、やや後方に向かって屈曲している（図５）。本考案のフェースシールドを顔に取り付けたときに、第２フレーム部５５の先端部は鼻に当接する。すなわち、本考案のフェースシールドは、第２フレーム部５５を介して鼻によって支持されている。なお、図面では、第１フレーム部５１の略中央部５２から２本の第２フレーム部が設けられているが、第１フレーム部５１の略中央部５２から下方へ延びる１本の第２フレーム部を設け、第２フレーム部の下方先端を分岐させて、分岐部が鼻に当接するように変形してもよい。
【００３９】
左右の第３フレーム部５３は、蝶番により第１フレーム部の両端部５４にそれぞれ接続され、内側に折りたたむことができるように構成されている。
【００４０】
第３フレーム部５３は、後方側の先端にチップ部を有する。図３、図５に示したように、第３フレーム部５３のチップ部は、内側に屈曲するとともに、下方にも屈曲している。このような構成とすることにより、第３フレームは、側頭部を挟持しやすくなり、また、耳にかかりやすくなる。
【００４１】
前記第１フレーム部５１の両端部５４から後方へ延びる左右の第３フレーム部５３には、前記シールドを取り付けるための突起部５７が２つずつ設けられている。突起部５７は、第３フレーム部５３の第１フレーム５１の両端部５４に近い位置に設けられていることが好ましい。前記突起部５７は、第３フレーム部５３から外側に向かって突出している。
【００４２】
図６は、メガネタイプフレームに設けられた突起部５７の拡大図である。前記突起部５７は、円柱状の軸部５７１と前記軸部５７１の先端に設けられた円盤状の頭部５７３とを有することが好ましい。円盤状頭部５７３の直径は、円柱状軸部５７１の直径より大きく、円盤状頭部５７３の外周部が、円柱状軸部５７１から張り出すように構成されている。円柱状軸部５７１の直径は、例えば、２ｍｍ〜１０ｍｍであることが好ましく、円柱状軸部５７１の長さは０．５ｍｍ〜５ｍｍであることが好ましい。円盤状頭部５７３の直径は、３ｍｍ〜２０ｍｍであることが好ましく、円盤状頭部５７３の厚みは、０．５ｍｍ〜５ｍｍであることが好ましい。
【００４３】
図７は、シールド３を平面状に伸ばした状態の正面図である。シールドは、略長方形状である。略長方形の四隅は、角をとり丸みを帯びた形状にされている。シールド３の大きさは特に限定されないが、左右の幅が、２００ｍｍ〜３００ｍｍであることが好ましく、２３０ｍｍ〜２７０ｍｍがより好ましく、約２５０ｍｍがさらに好ましい。シールド３の上下の長さは、１５０ｍｍ〜２５０ｍｍが好ましく、約２００ｍｍがより好ましい。
【００４４】
シールド３の左右の両端部には、前記メガネタイプフレーム５の突起部５７が係合する貫通孔７が、２つずつ設けられている。貫通孔７の左右両端部における上下位置は、シールド３の上端から、５ｍｍ〜１００ｍｍの領域に設けることが好ましく、１０ｍｍ〜７０ｍｍの領域に設けることがより好ましい。また、貫通孔７は、シールドの左右の両端縁から４０ｍｍの領域に設けることが好ましく、３０ｍｍの領域に設けることがより好ましい。
【００４５】
前記貫通孔７は、メガネタイプフレーム５に設けられた突起部５７の頭部５７３が挿入離脱可能な大径貫通孔７１と前記頭部５７３が挿入離脱不可能な小径貫通孔７５とが一定の幅Ｗを有する経路７３で連接された貫通孔７である（図８）。
【００４６】
大径貫通孔７１の直径ｒ１は、円盤状頭部５７３の直径よりも大きく、小径貫通孔７５の直径ｒ２は、円盤状頭部５７３の直径よりも小さくなるように形成されている。また、円柱状軸部５７１の直径は、経路７３の幅Ｗよりも小さくなるように形成されている。そのため、突起部５７の円柱状軸部５７１は、経路７３に沿って移動可能である。
【００４７】
突起部５７の頭部５７３を大径貫通孔７１に挿入させ、突起部５７の軸部５７１を経路７３に沿って移動させて、頭部５７３を小径貫通孔７５に嵌め込む。頭部５７３の直径は、小径貫通孔７５の直径ｒ２より大きいので、頭部５７３は、小径貫通孔７５から抜けることなく嵌合する。
【００４８】
例えば、大径貫通孔７１の直径ｒ１は、約４ｍｍであり、小径貫通孔７５の直径ｒ２は約２ｍｍである。経路の幅Ｗは、例えば、約１．５ｍｍであり、貫通孔７全体の長さＬは約８ｍｍである。この貫通孔７が約３ｍｍの間隔で二つ設けられており、外側に位置する貫通孔７とシールドの左右の端縁との距離は６ｍｍである。シールド３にこのような貫通孔７を設ける場合、突起部５７の円盤状頭部５７３の直径は、２．２ｍｍ以上が好ましく、２．５ｍｍ以上が好ましく、３ｍｍ以上がさらに好ましく、３．９ｍｍ以下が好ましく、３．８ｍｍ以下がより好ましく、３．５ｍｍ以下がさらに好ましい。また、突起部５７の軸部５７１の直径は、１．５ｍｍ未満であることが好ましく、１．３ｍｍ以下がより好ましく、１ｍｍ以下がさらに好ましい。
【００４９】
図面に示した態様では、一定の幅を有する直線状の経路７３が設けられているが、経路を屈曲させるようにしても良い。また、経路７３をなくして、大径貫通孔７１と小径貫通孔７５とを一部重ね合わせて、直接連接させるようにしてもよい。
【００５０】
本考案のフェースシールドは、医療現場、キッチンなどで好適に使用することができる。
【符号の説明】
【００５１】
１：フェースシールド、３：シールド、５：メガネタイプフレーム、５１：第１フレーム部、５２：略中央部、５３：第３フレーム部、５４：端部、５５：第２フレーム部、５７：突起部、７：貫通孔
【図１】
0003227701.tif 000003
【図２】
0003227701.tif 000004
【図３】
0003227701.tif 000005
【図４】
0003227701.tif 000006
【図５】
0003227701.tif 000007
【図６】
0003227701.tif 000008
【図７】
0003227701.tif 000009
【図８】
0003227701.tif 000010
【手続補正書】
【提出日】令和2年6月10日(2020.6.10)
【手続補正１】
【補正対象書類名】実用新案登録請求の範囲
【補正対象項目名】全文
【補正方法】変更
【補正の内容】
【実用新案登録請求の範囲】
【請求項１】
人の顔に取り付けて使用するフェースシールドであって、
メガネタイプフレームと、
顔面の少なくとも半分以上を被覆する透明もしくは半透明のシールドとを有し、
前記メガネタイプフレームは、顔の前方に位置し左右方向に延びる第１フレーム部と、前記第１フレーム部の略中央部に設けられ下方へ延びる第２フレーム部と、前記第１フレーム部の両端部から後方へ延びる第３フレーム部とを有し、
前記シールドは、前記メガネタイプフレームの前記第１フレーム部の両端部または前記第１フレーム部の両端部から後方へ延びる第３フレーム部において着脱可能に取り付けられていることを特徴とするフェースシールド。
【請求項２】
前記シールドの左右の端部は、頭部の側面の一部を覆うように後方にむかって湾曲している請求項１に記載のフェースシールド。
【請求項３】
前記第１フレーム部の両端部、または、前記第１フレーム部の両端部から後方へ延びる第３フレーム部には、シールドを取り付けるための外側に突出する突起部が設けられており、シールドの左右の端部には、前記突起部が係合する貫通孔が設けられており、突起部が貫通孔に係合することにより、シールドが、メガネタイプフレームに取り付けられている請求項１または２に記載のフェースシールド。
【請求項４】
前記突起部は、軸部と前記軸部の先端に設けられた頭部とを有し、
前記貫通孔は、前記頭部が挿入離脱可能な大径貫通孔と前記頭部が挿入離脱不可能な小径貫通孔とが連接して形成された貫通孔であり、
前記突起部の頭部を大径貫通孔に挿入させたのちに、前記頭部を小径貫通孔に移動させることにより、シールドがメガネタイプフレームに取り付けられている請求項３に記載のフェースシールド。
【請求項５】
前記メガネタイプフレームの第１フレーム部は、略中央部が前方へ突出し、両端部が後方に向かって湾曲する円弧状の形状を有し、下方へ延びる第２フレーム部の長さは、３．５ｃｍ〜６ｃｍである請求項１〜４のいずれか一項に記載のフェースシールド。